(57)【要約】  【課題】  極めてシンプルな構成でありながら補整機能を充分に発揮する下半身に補整機能を有する衣料を提供すること。  【解決手段】  太股内側から臀部を経て下腹部を覆うようにほぼスパイラル状に延びる左右一対の補整パーツ２，２が他のパーツ間に設けられており、また、前記補整パーツ２，２が、その長手方向に伸縮性を有している。  【選択図】  図１
2006214040.tif 000002
【特許請求の範囲】
【請求項１】
太股内側から臀部を経て下腹部を覆うようにほぼスパイラル状に延びる左右一対の補整パーツが他のパーツ間に設けられており、また、前記補整パーツが、その長手方向に伸縮性を有していることを特徴とする下半身に補整機能を有する衣料。
【発明の詳細な説明】
【技術分野】
【０００１】
この発明は、例えば、ガードルやスポーツ用ボトム等として用いるのに適した下半身に補整機能を有する衣料に関する。
【背景技術】
【０００２】
下半身にボディーラインを補整する補整機能（例えばヒップアップ機能等）を有する従来の衣料として、弾力性のある当て布等を例えばガードルの適宜の位置に縫合し、これによって、前記補整機能を発揮させるように構成されたものがある。
【特許文献１】特開２００４−１６９２５５号公報
【発明の開示】
【発明が解決しようとする課題】
【０００３】
しかし、上記従来の衣料では、前記当て布等を用いるので、それだけ生地が余分に必要となって製造コストが上昇する他、前記当て布等を縫合した部位が多重構造となることにより、多重構造部分を構成する生地どうしが相互の摩擦により短期間で磨耗する、着用感が悪くなる、洗濯後の乾燥に時間がかかる等の問題が生じるおそれがあった。
【０００４】
この発明は上述の事柄に留意してなされたもので、その目的は、極めてシンプルな構成でありながら補整機能を充分に発揮する下半身に補整機能を有する衣料を提供することである。
【課題を解決するための手段】
【０００５】
上記目的を達成するために、本発明の下半身に補整機能を有する衣料は、太股内側から臀部を経て下腹部を覆うようにほぼスパイラル状に延びる左右一対の補整パーツが他のパーツ間に設けられており、また、前記補整パーツが、その長手方向に伸縮性を有していることを特徴としている（請求項１）。
【発明の効果】
【０００６】
請求項１に係る発明では、他のパーツ間に設けられる補整パーツを備えたことにより、極めてシンプルな構成でありながら補整機能を充分に発揮する下半身に補整機能を有する衣料が得られる。すなわち、この発明で用いる補整パーツは、衣料の外側または内側に縫合されて取り付けられるものではなく、衣料を構成する他のパーツ間に設けられるものである。換言すれば、前記補整パーツは、衣料を構成するパーツでありながら補整機能を担うパーツに兼用されるものである。そのため、この発明によれば、従来の衣料のように衣料を構成するパーツとは別に補整機能を発揮させるための当て布等のパーツを用意する必要がなく、衣料を構成するパーツのみを用いることができるので、多重構造部分等が形成されない極めてシンプルな構造の衣料を提供することができる。しかも、この発明の衣料では、多重構造部分が形成されないので、生地が余分に必要となって製造コストが上昇する、多重構造部分を構成する生地どうしが相互の摩擦により短期間で磨耗する、着用感が悪くなる、洗濯後の乾燥に時間がかかる等の種々の不具合が生じるのを確実に防止することができ、これらの点でも優れた衣料が得られる。
【発明を実施するための最良の形態】
【０００７】
図１（Ａ）および（Ｂ）は、本発明の一実施の形態に係る下半身に補整機能を有する衣料（以下、衣料という）１の構成を概略的に示す正面図および背面図、図２は、前記衣料１を構成する各部の構成を概略的に示すパターン図である。図１（Ａ）および（Ｂ）に示すように、この実施の形態に係る衣料１はガードルであり、衣料１は、太股内側から臀部を経て下腹部を覆うようにほぼスパイラル状に延びる左右一対の補整パーツ２，２を備え、各補整パーツ２は特殊なカットラインに基づく縫製により他のパーツ間に組み込まれた状態で設けられる。
【０００８】
詳しく説明すると、図２に示すように、補整パーツ２は、一本のほぼテープ状に形成され、上縁２ａ、下縁２ｂ、第一縁２ｃおよび第二縁２ｄを有しており、第二縁２ｄは、バックピース６（後述する）が縫着される上側部分２ｅと、内股用パーツ５（後述する）が縫着される下側部分２ｆとから構成されている。
【０００９】
また、図１（Ａ）および図２において、３は腹部中央を覆うほぼ菱形状のセンターパーツであり、上縁３ａ、左右の斜上縁３ｂ，３ｂおよび左右の下縁３ｃ，３ｃを有している。そして、センターパーツ３の左右の斜上縁３ｂ，３ｂは、センターパーツ３の左右に配置される前記補整パーツ２，２の各第一縁２ｃの上部に縫着される。
【００１０】
一方、図１（Ａ）および図２において、４，４は前記補整パーツ２，２の各第一縁２ｃに沿って設けられた一対の螺旋パーツである（図２では、図１（Ａ）における右側の螺旋パーツ４の図示を省略してある）。そして、各螺旋パーツ４は一本のほぼテープ状で、太股をほぼスパイラル状に覆うように構成されており、斜上縁４ａ、下縁４ｂ、第一縁４ｃおよび第二縁４ｄを有している。なお、螺旋パーツ４，４の各斜上縁４ａは前記センターパーツ３の左右の下縁３ｂに縫着され、各第二縁４ｄは補整パーツ２，２の各第一縁２ｃに縫着される。
【００１１】
また、図１（Ａ）および図２において、５，５は前記螺旋パーツ４，４の各第一縁４ｃに沿って設けられた一対の内股用パーツである（図２では、図１（Ａ）における右側の内股用パーツ５の図示を省略してある）。そして、各内股用パーツ５は内股（太股の内側部）を覆うように構成されており、上縁５ａ、下縁５ｂ、第一縁５ｃ、第二縁５ｄおよび第三縁５ｅを有している。なお、内股用パーツ５，５の各上縁５ａは互いに縫着され、各第一縁５ｃは補整パーツ２，２の各第二縁２ｄの下側部分２ｆに縫着され、各第二縁５ｄは螺旋パーツ４，４の各第一縁４ｃに縫着される。
【００１２】
他方、図１（Ｂ）および図２において、６，６は前記補整パーツ２，２の各第二縁２ｃの上側部分２ｅに沿って設けられた一対のバックパーツである（図２では、図１（Ｂ）における左側のバックパーツ６の図示を省略してある）。そして、各バックパーツ６は臀部を覆うように構成されており、上縁６ａ、下縁６ｂ、第一縁６ｃおよび第二縁６ｄを有している。なお、バックパーツ６，６の各第二縁６ｄは互いに縫着され、各第一縁６ｃは前記補整パーツ２，２の各第二縁２ｄの上側部分２ｅに縫着される。
【００１３】
また、図１（Ａ）および（Ｂ）並びに図２において、７は股布部であり、湾曲状の前縁７ａと、ほぼ直線状の後縁７ｂとを有している。そして、股布部７の前縁７ａは内股用パーツ５，５の各第三縁５ｅに縫着され、後縁７ｂの中央部はバックパーツ６，６の各下縁６ｂに、サイド部は補整パーツ２，２の各第二縁２ｄの下側部分２ｆの上部に縫着される。
【００１４】
なお、図１（Ａ）および（Ｂ）において、８はフリルである。
【００１５】
そして、図２に示すように、前記補整パーツ２，２はその長手方向（符号Ｐで示す方向）に伸縮性を有し、螺旋パーツ４、内股用パーツ５およびバックパーツ６はそれぞれ左右方向（符号Ｑで示す方向）に伸縮性を有している。そのため、衣料１を着用したときに、前記補整パーツ２，２に前記長手方向の緊張力が付与され、これにより、臀部が適宜に持ち上げられてヒップアップ機能が発揮されるとともに、太股内側の肉が後側に引っ張られて太股をすっきり見せるという機能も発揮されることになる。
【００１６】
なお、この発明は上記の実施の形態に限られず、種々に変形して実施することができる。例えば、衣料１は、ガードルに限られず、例えばスキー等のスポーツ用のボトムであってもよい。
【００１７】
また、前記補整パーツ２，２以外の衣料１を構成するパーツどうしを適宜に一体化してあってもよい。例えば、上記実施の形態では、螺旋パーツ４と内股用パーツ５とを別体としてあるが、これら４，５を最初から一体としてあってもよい。
【図面の簡単な説明】
【００１８】
【図１】（Ａ）および（Ｂ）は、本発明の一実施の形態に係る下半身に補整機能を有する衣料の構成を概略的に示す正面図および背面図である。
【図２】前記衣料を構成する各部の構成を概略的に示すパターン図である。
【符号の説明】
【００１９】
１  下半身に補整機能を有する衣料
２  補整パーツ
【図１】
2006214040.tif 000003
【図２】
2006214040.tif 000004